(57)【要約】      （修正有）【課題】楽しみが２倍となる、表裏面に図柄を表示した磁石型クリップを提供する。【解決手段】一定の厚さを有する中空の板状体の内部に永久磁石３を内蔵し、板状体の表裏面に図柄を施し、永久磁石の磁力により強磁性体から成る取付面に図柄を選択して固着自在とした。また、中空の板状体は、板体の外周縁を立ち上げて形成した外蓋１の凹部１ｂを、外蓋と同形であって外蓋より一回り小さい大きさの内蓋２に嵌合して形成した。さらに、中空の板状体の材質をブリキとした。【選択図】図１
0003216243.tif 000002
【実用新案登録請求の範囲】
【請求項１】
一定の厚さを有する中空の板状体の内部に磁石を内蔵し、上記板状体の表裏面に図柄を施し、上記磁石の磁力により強磁性体から成る取付面に固着自在としたことを特徴とする、磁石型クリップ。
【請求項２】
上記中空の板状体は、板体の外周縁を立ち上げて形成した外蓋の凹部を、当該外蓋と同形であって当該外蓋より一回り小さい大きさの内蓋に嵌合して形成したことを特徴とする、上記請求項１に記載の磁石型クリップ。
【請求項３】
上記中空の板状体の材質をブリキとしたことを特徴とする、上記請求項１又は２の何れかに記載の磁石型クリップ。
【考案の詳細な説明】
【技術分野】
【０００１】
この考案は、板状のブリキ（薄い鉄板に錫メッキを施したもの）等の金属の表面に、絵、写真、記号等を印刷し、裏面に、取付具として安全ピン等を取付けて形成した、いわゆる缶バッジ（以下、「缶バッジ」と言う。）から派生したもので、裏面に磁石を取付けたクリップ（以下、「磁石型クリップ」と言う。）に関するものである。
【背景技術】
【０００２】
表面に、アニメのキャラクターの絵、写真、その他、記号、模様などさまざまな図柄をブリキ等の金属に印刷した缶バッジが製作され、販売されている。購入者は、それを自身の衣服や帽子に取付けて楽しんでいる。
【０００３】
また、昨今では、上記缶バッジにおいても、金属印刷の進歩により、より精密で高度な印刷行えるようになり、紙の印刷と比べ、金属質の光沢により、かなりの臨場感、親近感及び高級感の持てる印刷が可能となっている。さらに、缶バッジの場合、上記感覚は、長期の間の保持使用でも風化し難い。
【０００４】
以上の様な缶バッジの中で、裏面の取付具として、安全ピンに代えて磁石を取付けたものがある。このタイプは、衣服等よりもホワイトボードや冷蔵庫等の強磁性体から成る取付面に、メモや何かのペーパー等を挟んでクリップとして使用されている、いわゆる磁石型缶バッジ、又は磁石型クリップである。
【０００５】
この様な磁石型缶バッジとしては、非特許文献１に記載されたものがある。
【先行技術文献】
【非特許文献】
【０００６】
【非特許文献１】インターネットのWWWにおいて、「磁石型缶バッジ」でＹａｈｏｏ検索の結果（画像）の一部
【考案の概要】
【考案が解決しようとする課題】
【０００７】
上記非特許文献１に記載されている磁石型缶バッジでは、表面だけにしか絵等の図柄が施されておらず、この様な磁石型缶バッジでは１つの表示面の図柄による１つの楽しみしかない。しかしながら、裏面にも図柄を設けることが出来るようになれば、２つの表示面となり、使用者は、２つの表示面の図柄の中から外側にする図柄を選択することが出来、楽しみが２倍となる。
【０００８】
この考案は、これらの点に鑑みて為されたもので、表裏面に図柄を表示した磁石型クリップを提供して上記課題を解決するものである。ここで、クリップとしたのは、バッジと言うと上述の通り衣服等に付けるイメージがあるが、この磁石型のタイプのものはもっぱらクリップとして強磁性体の取付面にメモ等を挟んで取付けるので磁石型クリップとした。従って、磁石型缶バッジも含むものである。
【課題を解決するための手段】
【０００９】
請求項１の考案は、一定の厚さを有する中空の板状体の内部に磁石を内蔵し、上記板状体の表裏面に図柄を施し、上記磁石の磁力により強磁性体から成る取付面に固着自在とした磁石型クリップとした。
【００１０】
請求項２の考案は、上記中空の板状体は、板体の外周縁を立ち上げて形成した外蓋の凹部を、当該外蓋と同形であって当該外蓋より一回り小さい大きさの内蓋に嵌合して形成した上記請求項１に記載の磁石型クリップとした。
【００１１】
請求項３の考案は、上記中空の板状体の材質をブリキとした上記請求項１又は２の何れかに記載の磁石型クリップとした。
【考案の効果】
【００１２】
請求項１の考案によれば、従来の磁石型缶バッジの表裏面にも図柄を施すようにしたので、１つの磁石型クリップに、２つの表示面が設けられ、使用者は、２つの表示面の図柄の中から外側にする図柄を選択することが出来、楽しみが２倍となる。
【００１３】
また、請求項２の考案によれば、円板の外周縁を立ち上げて形成した外蓋の凹部を、当該外蓋と同形であって当該外蓋より一回り小さい大きさの内蓋に嵌合して形成する様にしたので、磁石型クリップを少ない工程で容易に形成することが出来、コストの削減に役立つものである。
【００１４】
また、請求項３の考案によれば、上記磁石型クリップを形成する板状体の材質をブリキとしたので、図柄の印刷も行い易く、ホワイトボードや冷蔵庫のドアなどの強磁性体から成る取付面に、メモ等を挟んで取付け易く、また、取り外しも容易に出来るものである。
【図面の簡単な説明】
【００１５】
【図１】この考案の実施例１の磁石型クリップの拡大縦断面図である。
【図２】（ａ）この考案の実施例１の磁石型クリップの外蓋の平面図である。        （ｂ）この考案の実施例１の磁石型クリップの外蓋の横断面図である。
【図３】（ａ）この考案の実施例１の磁石型クリップの内蓋の底面図である。        （ｂ）この考案の実施例１の磁石型クリップの内蓋の横断面図である。
【図４】この考案の実施例１の磁石型クリップの底面図である。
【図５】（ａ）この考案の実施例１の磁石型クリップの表面にキャクターの絵を印刷し、裏面に商品（お茶）をアピールする文字を印刷した場合の平面図である。        （ｂ）この実施例１の磁石型クリップの表面に番号を印刷し、裏面に商品（コーラ）をアピールする文字と絵を印刷した場合の平面図である。       （ｃ）この考案の実施例１の磁石型クリップの表面にイベント（３０周年記念セール）の案内を印刷し、裏面に指でピースマークを作った絵を印刷した場合の平面図である。
【図６】この考案の実施例１の磁石型クリップを形成する方法であって、外蓋と内蓋の外周縁にねじ山を設けてねじ嵌合させた状態の拡大縦断面図である。
【図７】この考案の実施例１の磁石型クリップを形成する方法であって、外蓋に内蓋を圧入させた状態の拡大縦断面図である。
【図８】この考案の実施例１の磁石型クリップを形成する方法であって、外蓋と内蓋を合わせて夫々の外周縁をハンダによりハンダ付けした状態の拡大縦断面図である。
【考案を実施するための形態】
【００１６】
（実施例１）
以下、この考案の実施例１の磁石型クリップを図に基づいて説明する。この実施例１の磁石型クリップＡは、図２に示す様に、ブリキ製の板体で円板を形成し、この円板の外周縁１ａを立ち上げて外蓋１を形成し、同様に、図３に示すように、上記外蓋１より一回り小さい同形の内蓋２を形成する。この時、後述する上記外蓋１と内蓋２を嵌合し、一体に成形し易い様に、内蓋２の外周縁２ａを予めやや内側に傾斜させておく。
【００１７】
また、外蓋１及び内蓋２の形成の前に、これらを形成するブリキ製の板体上に、予め所望の絵、写真、記号等の印刷を夫々行っておく。
【００１８】
その後、上記内蓋２の凹部２ｂの中に円板形状の永久磁石３（図１及び図４参照）を配置し、その上から、内蓋２の外周縁２aが外蓋１の外周縁１aの内側になる様に、上記外蓋１の凹部１ｂを外側から被せて嵌合し、突出している上記外蓋１の外周縁１ａの先端縁を上記内蓋２上にかしめて、図１及び図４に示す様に、上記内蓋２と上記外蓋１を一体のものとして磁石型クリップＡを完成させる。
【００１９】
この磁石型クリップＡによれば、表裏面のどちらにも図柄の印刷を施しているため、従来は図柄の表示面が１つだったのを２つにすることが出来、２つの表示面を持たせることが出来るため、二通りの使用が出来る。すなわち、どちらの面を外面とするか選ぶことが出来、楽しみが２倍となる。
【００２０】
その後、以上の様な磁石型クリップＡをホワイトボード（図示省略）や冷蔵庫のドア（図示省略）などの強磁性体から成る取付面に、メモ等を挟んで上記永久磁石３の磁力により取り付ける。
【００２１】
また、この磁石型クリップＡを企業のキャンペーンやイベントの広告用に使用する場合、この磁石型クリップＡの表示面の一面に、企業の広告の印刷を施し、他面には、消費者が興味を抱く絵や写真、又は羨望するタレントの写真やアニメのキャラクターの絵などを印刷する。
【００２２】
この様な磁石型クリップを街頭で配布すれば、この磁石型クリップの一面の広告の有無よりも他面のタレントの写真に興味が惹かれ、通行人がこの磁石型クリップを受け取る確率は格段に高くなると思われる。この後、この磁石型クリップのどちらの面を外面として使用するかはこの通行人の自由であるが、この磁石型クリップを受け取った以上、必ず広告面も見ることとなり、広告宣伝機能を果たすものである。
【００２３】
次に、この磁石型クリップＡに施された図柄の一例として、図５（ａ）〜（ｃ）に記載する。上段のものが表面、下段のものを裏面として、アニメのキャラクター、番号、イベントの案内、商品広告等々を設けたものである。
【００２４】
また、円板の外周縁１ａを立ち上げて形成した外蓋１の凹部１ｂを、この外蓋１と同形であってこの外蓋１より一回り小さい大きさの内蓋２に嵌合して形成したので、磁石型クリップＡを少ない工程で容易に形成することが出来、コストの削減に役立つものである。
【００２５】
上記実施例１では、磁石型クリップＡを形成する板体の材質としてブリキを使用したが、内側に永久磁石３を配置して、ホワイトボードや冷蔵庫のドア等の強磁性体から成る取付面に、紙等を挟んで上記永久磁石３の磁力により取り付けられるものならばブリキに限らず、プラスティックなど他の材質から成るものでも良い。
【００２６】
また、この磁石型クリップＡの表裏面に図柄を施すのに印刷によることとしたが、図柄を施すのは印刷に限らず、他の方法でも良い。
【００２７】
さらに、内蓋２の凹部２ｂに、外蓋１の凹部１ｂを外側から被せて嵌合し、一体に形成しているが、これに限らず、磁石型クリップＡを形成する他の方法としては、例えば、図６に示すように、プラスティックであれば外蓋と内蓋の各外周縁にねじ山４を設けてねじ嵌合させる、図７に示すように、外蓋に内蓋を圧入させる、又は、図８に示すように、外蓋と内蓋を合わせて夫々の外周縁の外側をハンダ５によりハンダ付けするとか、他の方法でも良い。
【００２８】
さらに、磁石型クリップＡの形状としては、円形状に限るものではなく、四角形状など、磁石型クリップが形成できる形状なら何でも良い。
【符号の説明】
【００２９】
Ａ    磁石型クリップ
１    外蓋                １ａ  外周縁            １ｂ    凹部
２    内蓋                ２ａ  外周縁            ２ｂ    凹部
３    永久磁石            ４    ねじ山            ５      ハンダ
【図１】
0003216243.tif 000003
【図２】
0003216243.tif 000004
【図３】
0003216243.tif 000005
【図４】
0003216243.tif 000006
【図５】
0003216243.tif 000007
【図６】
0003216243.tif 000008
【図７】
0003216243.tif 000009
【図８】
0003216243.tif 000010